(57)【要約】【課題】支持部材を薄く形成できるシャッター装置を提供する。【解決手段】複数のスラット１ａを並列させて連結してなるシャッター１と、シャッター１を両側から支持する一対の支持部材２とを備えたシャッター装置であって、支持部材２は、シャッター１側に突出し、かつ、シャッター１の移動方向に沿って設けられるレール部２１を有しており、スラット１ａの両端部には、支持部材２側に開口する溝部１１がそれぞれ形成されており、シャッター１は、スラット１ａの両端部の溝部１１がレール部２１に移動可能に嵌ることによって支持されている。【選択図】  図２
2004270358.tif 000002
【特許請求の範囲】
【請求項１】
複数のスラットを並列させて連結してなるシャッターと、前記シャッターを両側から支持する一対の支持部材とを備えたシャッター装置であって、
前記支持部材は、前記シャッター側に突出し、かつ、シャッターの移動方向に沿って設けられるレール部を有しており、
前記スラットの両端部には、前記支持部材側に開口する溝部がそれぞれ形成されており、
前記シャッターは、前記スラットの両端部の溝部がレール部に移動可能に嵌ることによって支持されていることを特徴とするシャッター装置。
【請求項２】
前記スラットの前面は、前記支持部材の前面と面一になっていることを特徴とする請求項１に記載のシャッター装置。
【請求項３】
前記スラットは、前記支持部材側に向けて突出する突出壁を有しており、この突出壁は、前記支持部材の前面を、支持部材の幅方向において覆っていることを特徴とする請求項１に記載のシャッター装置。
【請求項４】
前記支持部材に、ガイド部材を前記レール部と平行にかつ前記シャッターと近接又は当接して設けたことを特徴とする請求項１〜３のいずれか一項に記載のシャッター装置。
【請求項５】
前記ガイド部材に、前記シャッターに接する毛状の突起物を設けたことを特徴とする請求項４に記載のシャッター装置。
【発明の詳細な説明】
【０００１】
【発明の属する技術分野】
本発明は、例えば住宅における内部建具に用いられるシャッター装置に関する。
【０００２】
【背景の技術】
従来のシャッター装置としては、例えば複数のスラットを並列させて連結してなるシャッターと、シャッターを両側から支持する一対の支持部材とを備えたシャッター装置であって、前記支持部材には、シャッター側に開口する溝部が形成されており、スラットの両端部が支持部材の溝部に移動可能に嵌ることによって支持されているものが開示されている（例えば、非特許文献１参照）。
【０００３】
【非特許文献１】
社団法人日本建築学会著，「構造用教材」，技報堂出版，１９９４年４月１８日，ｐ．１０３
【０００４】
【発明が解決しようとする課題】
ところで、従来のシャッター装置においては、スラットの両端部が支持部材の溝部に嵌ることによって支持されているので、スラットを安定的に支持するために溝部をある程度深く形成する必要があるので、支持部材が比較的厚く形成されてしまい、材料費がかさむという問題があった。
【０００５】
そこで、本発明の課題は、支持部材を薄く形成できるシャッター装置を提供することにある。
【０００６】
【課題を解決するための手段】
上記課題を解決するため、請求項１に記載の発明は、例えば図２及び図３に示すように、複数のスラット１ａを並列させて連結してなるシャッター１と、シャッター１を両側から支持する一対の支持部材２とを備えたシャッター装置であって、支持部材２は、シャッター１側に突出し、かつ、シャッター１の移動方向に沿って設けられるレール部２１を有しており、スラット１ａの両端部には、支持部材２側に開口する溝部１１がそれぞれ形成されており、シャッター１は、スラット１ａの両端部の溝部１１がレール部２１に移動可能に嵌ることによって支持されていることを特徴としている。
請求項１に記載の発明によれば、支持部材２にレール部２１を設け、スラット１ａの両端部に溝部１１を設けたので、支持部材２に溝部１１を設ける必要がなく、その分、支持部材２を薄く形成できる。
【０００７】
また、請求項２に記載の発明は、例えば図２に示すように、請求項１に記載のシャッター装置において、スラット１ａの前面は、支持部材２の前面と面一になっていることを特徴としている。
請求項２に記載の発明によれば、支持部材２の前面及びシャッター１の前面が面一になっているので、外観を損なう虞がある支持部材２の前面とシャッター１の前面との段差が生じないことになり、これにより、外観上の見栄えを良くすることが可能となる。
【０００８】
さらに、請求項３に記載の発明は、例えば図３に示すように、請求項１に記載のシャッター装置において、スラット１ａは、支持部材２側に向けて突出する突出壁１２を有しており、この突出壁１２は、支持部材２の前面を、支持部材２の幅方向において覆っていることを特徴としている。
請求項３に記載の発明によれば、シャッター１の両端部の突出壁１２が支持部材２の前面を覆っているので、外観を損なう虞がある支持部材２の前面が露出しないことになり、これにより、外観上の見栄えを良くすることが可能となる。
【０００９】
さらにまた、請求項４に記載の発明は、例えば図２及び図３に示すように、請求項１〜３のいずれか一項に記載のシャッター装置において、支持部材２に、ガイド部材３をレール部２１と平行にかつシャッター１と近接又は当接して設けたことを特徴としている。
請求項４に記載の発明によれば、シャッター１の前後方向における振れ量をガイド部材３によって小さくできるので、シャッター１を上げ下げして開閉するに際しての軽快さや狂いの生じにくさを十分に担保することが可能となる。
【００１０】
また、請求項５に記載の発明は、例えば図２及び図３に示すように、請求項４に記載のシャッター装置において、ガイド部材３に、シャッター１に接する毛状の突起物３１を設けたことを特徴としている。
請求項５に記載の発明によれば、移動中のシャッター１に毛状の突起物３１が接することになり、これにより、シャッター１を上げ下げして開閉するに際しての衝撃や騒音を吸収することが可能となり、加えて、シャッター１を取り付ける開口部の気密性を確保することが可能となる。
【００１１】
【発明の実施の形態】
以下、添付図面に基づいて本発明の実施の形態を詳細に説明する。
【００１２】
なお、ここでは、シャッター装置を住宅内に設けられた収納所に取り付ける場合について説明するが、これに限られるものではない。すなわち、本発明は、例えば引戸、開戸、折戸の使用が事実上困難な階段下等のデッドスペースに取り付ける場合でも、適用が可能である。
【００１３】
図１は本発明の実施の形態１に係るシャッター装置の全体構成を示す斜視図、図２は同シャッター装置の部分構成を示す断面図である。
【００１４】
この実施の形態１において、シャッター装置は、狭いスペースを有効に利用することを目的として、住宅における内部建具として住宅内に設けられた収納所に取り付けられたものとして構成されている（図１参照）。
【００１５】
この実施の形態１において、このシャッター装置は、図１に示すように、シャッター１と、支持部材２と、ガイド部材３とを備えたものとして構成されている。
【００１６】
以下、これらの各構成要素についてさらに詳細に説明する。
【００１７】
（１）シャッター１
シャッター１は、図１に示すように、複数のスラット１ａを並列させて連結してなるものとして構成されている。
【００１８】
具体的には、図２に示すように、スラット１ａの両端部には、支持部材２側に開口する溝部１１がそれぞれ形成されているものとして構成されている。
【００１９】
すなわち、このようなスラット１ａによれば、支持部材２にシャッター１側に突出するレール部２１を設けることにより、スラット１ａの両端部の溝部１１を支持部材２のレール部２１に移動可能に嵌めることが可能となっている。
【００２０】
ここで、同図に示すように、スラット１ａの前面は、支持部材２の前面と面一になっている。
これにより、外観を損なう虞がある支持部材２の前面とシャッター１の前面との段差が生じないことになっている。
【００２１】
そして、その結果、外観上の見栄えを良くすることが可能となっている。
【００２２】
（２）支持部材２
支持部材２は、図２に示すように、シャッター１を両側から支持する役割を果たすものとして構成されている。
【００２３】
具体的には、同図に示すように、この支持部材２は、シャッター１側に突出し、かつ、シャッター１の移動方向に沿って設けられるレール部２１を有しているものとして構成されている。
【００２４】
すなわち、このような支持部材２によれば、スラット１ａの両端部に支持部材２側に開口する溝部１１を設けることにより、支持部材２のレール部２１にスラット１ａの両端部の溝部１１を移動可能に嵌めることが可能となっている。
【００２５】
ここで、同図に示すように、支持部材２の前面は、スラット１ａの前面と面一になっている。
これにより、外観を損なう虞がある支持部材２の前面とシャッター１の前面との段差が生じないことになっている。
【００２６】
そして、その結果、外観上の見栄えを良くすることが可能となっている。
【００２７】
（３）ガイド部材３
ガイド部材３は、図２に示すように、支持部材２に、レール部２１と平行にかつシャッター１と近接又は当接して設けたものとして構成されている。
【００２８】
すなわち、このようなガイド部材３によれば、シャッター１の前後方向における振れ量を相当に小さくすることが可能となっており、これにより、シャッター１を上げ下げして開閉するに際しての軽快さや狂いの生じにくさが十分に担保されることになっている。
【００２９】
ここで、同図に示すように、ガイド部材３に、シャッター１に接する毛状の突起物たるモヘア３１が設けられている。
【００３０】
これにより、移動中のシャッター１にモヘヤ３１が接することになっており、その結果、シャッター１を上げ下げして開閉するに際しての衝撃や騒音が十分に吸収されることになっている。加えて、シャッター１を取り付ける開口部の気密性もが確保されることになっている。
【００３１】
上記したように、この実施の形態１において、シャッター装置は、シャッター１が、スラット１ａの両端部の溝部１１がレール部２１に移動可能に嵌ることによって支持されているものとして構成されている。
【００３２】
換言すれば、このようなシャッター装置は、支持部材２にレール部２１が設けられており、スラット１ａの両端部に溝部１１が設けられているものとして構成されている。
【００３３】
よって、これによれば、支持部材２に溝部１１を設ける必要がなく、その分、支持部材２を薄く形成することが可能となっており、これにより、材料の軽量化をも十分に図ることが可能となっている。
【００３４】
なお、この実施の形態１のように、シャッター装置を住宅における内部建具に用いる場合には、狭いスペースを可及的に有効利用しようとする観点から、シャッター１の移動軌道がほぼ直角に曲がるようにすること、つまり、シャッター１の移動軌道がより小さい曲率半径で曲がるようにすることが好ましい（図１参照）。
【００３５】
ここで、シャッター１の移動軌道をより小さい曲率半径で曲げるに際しては、レール部２１の幅が相当な影響を及ぼすことになっている。つまり、レール部２１の幅が厚く形成される程、シャッター１の移動軌道をより小さい曲率半径で曲げることが困難となっている。
【００３６】
この実施の形態１に係るシャッター装置においては、従来のシャッター装置と異なり、支持部材２にレール部２１を設け、スラット１ａの両端部に溝部１１を設ける構成であることから、レール部２１の幅をより薄く形成できることになり、これにより、シャッター１の移動軌道をより小さい曲率半径で曲げることが可能となっている。
【００３７】
◎実施の形態２
図３は本発明の実施の形態２に係るシャッター装置の部分構成を示す断面図である。なお、実施の形態１と同様な構成要素については実施の形態１と同様な符号を付してここではその詳細な説明を省略する。
【００３８】
同図に示すように、この実施の形態２に係るシャッター装置の基本的構成は実施の形態１と略同様であるが、実施の形態１と異なり、スラット１ａが、支持部材２側に向けて突出する突出壁１２を有しており、この突出壁１２が、支持部材２の前面を、支持部材２の幅方向において覆っている。
【００３９】
すなわち、この実施の形態２に係るシャッター装置によれば、実施の形態１と同様な作用・効果が得られることに加え、シャッター１の両端部の突出壁１２が支持部材２の前面を覆っているので、外観を損なう虞がある支持部材２の前面が露出しないことになっている。そして、その結果、外観上の見栄えを良くすることが可能となっている。
【００４０】
【発明の効果】
本発明に係るシャッター装置によれば、支持部材を薄く形成できることになり、材料の有効活用も図られることになる。
また、スラットの前面を支持部材の前面と面一にするか又は支持部材の前面を覆うことにすれば、外観上の見栄えを良くすることができる。
さらに、支持部材にガイド部材を設ければ、シャッターを上げ下げして開閉するに際しての軽快さや狂いの生じにくさを十分に担保できる。
さらにまた、ガイド部材に毛状の突起物を設ければ、シャッターを上げ下げして開閉するに際しての衝撃や騒音を吸収でき、シャッターを取り付ける開口部の気密性を確保できる。
【図面の簡単な説明】
【図１】本発明の実施の形態１に係るシャッター装置の全体構成を示す斜視図である。
【図２】本発明の実施の形態１に係るシャッター装置の部分構成を示す断面図である。
【図３】本発明の実施の形態２に係るシャッター装置の部分構成を示す断面図である。
【符号の説明】
１  シャッター
１ａ  スラット
２  支持部材
３  ガイド部材
１１  溝部
１２  突出壁
２１  レール部
３１  モヘア（毛状の突起物）
【図１】
2004270358.tif 000003
【図２】
2004270358.tif 000004
【図３】
2004270358.tif 000005